(57)【特許請求の範囲】
【請求項１】
ユーザ機器（ＵＥ）によるワイヤレス通信の方法であって、
前記ＵＥの中継ステータスを備えるメッセージを送信すること、前記中継ステータスは、前記ＵＥが基地局と少なくとも１つのデバイスツーデバイス（Ｄ２Ｄ）宛先との間の中継ノードとして機能することを意図するかどうかを示し、前記メッセージは、前記ＵＥが前記中継ノードとして機能することを意図する前記少なくとも１つのＤ２Ｄ宛先および前記ＵＥが前記中継ノードとして通信するために使用することを意図するキャリア周波数を示す、と、
前記ＵＥの前記中継ステータスに基づいてダウンリンク制御情報（ＤＣＩ）メッセージを受信すること、前記ＤＣＩメッセージは、前記ＵＥの前記中継ステータスに基づいて前記ＵＥに割り振られたリソースを示す、と、
前記ＵＥの前記中継ステータスに基づいて前記ＵＥに割り振られた前記リソース上でデータを送信することと
を備える、方法。
【請求項２】
前記メッセージは、前記ＵＥがそれらと通信することを意図する複数のＤ２Ｄ宛先を示し、前記ＵＥが前記中継ノードとして機能することを意図する前記少なくとも１つのＤ２Ｄ宛先は、前記複数のＤ２Ｄ宛先のサブセットである、
請求項１に記載の方法。
【請求項３】
前記メッセージは、Ｄ２Ｄグループ識別子（ＩＤ）またはＵＥ  ＩＤのうちの１つまたは複数を含むことによって前記少なくとも１つのＤ２Ｄ宛先を示す、
請求項１に記載の方法。
【請求項４】
前記メッセージは、前記ＵＥと、前記ＵＥが前記中継ノードとして機能する前記少なくとも１つのＤ２Ｄ宛先中の１つまたは複数のＵＥとの間の接続に関連付けられたリンク品質を含む、
請求項１に記載の方法。
【請求項５】
前記メッセージは、前記少なくとも１つのＤ２Ｄ宛先とのＤ２Ｄ通信を実行するという意図を示す、
請求項１に記載の方法。
【請求項６】
前記基地局への送信のために前記少なくとも１つのＤ２Ｄ宛先から前記データを受信することをさらに備える、
請求項１に記載の方法。
【請求項７】
前記少なくとも１つのＤ２Ｄ宛先への送信のために前記基地局から前記データを受信することをさらに備える、
請求項１に記載の方法。
【請求項８】
ユーザ機器（ＵＥ）によるワイヤレス通信の方法であって、
前記ＵＥの中継ステータスを備えるメッセージを送信すること、前記中継ステータスは、前記ＵＥが基地局と少なくとも１つのデバイスツーデバイス（Ｄ２Ｄ）宛先との間の中継ノードとして機能することを意図するかどうかを示し、前記メッセージは、前記ＵＥが前記中継ノードとして機能することを意図する前記少なくとも１つのＤ２Ｄ宛先を示し、前記メッセージは、バッファステータス報告とＤ２Ｄグループインデックスとを含み、前記Ｄ２Ｄグループインデックスは、Ｄ２Ｄグループ識別子に関連付けられ、前記ＵＥによって送信された直接通信インジケーションメッセージ中に含まれる前記Ｄ２Ｄグループ識別子の位置に対応し、前記Ｄ２Ｄグループ識別子は、前記ＵＥが前記中継ノードとして機能することを意図するＤ２Ｄグループに関連付けられる、と、
前記ＵＥの前記中継ステータスに基づいてダウンリンク制御情報（ＤＣＩ）メッセージを受信すること、前記ＤＣＩメッセージは、前記ＵＥの前記中継ステータスに基づいて前記ＵＥに割り振られたリソースを示す、と、
前記ＵＥの前記中継ステータスに基づいて前記ＵＥに割り振られた前記リソース上でデータを送信することと
を備える、方法。
【請求項９】
ワイヤレス通信のための装置であって、
前記装置の中継ステータスを備えるメッセージを送信するための手段、前記中継ステータスは、前記装置が基地局と少なくとも１つのデバイスツーデバイス（Ｄ２Ｄ）宛先との間の中継ノードとして機能することを意図するかどうかを示し、前記メッセージは、前記装置が前記中継ノードとして機能することを意図する前記少なくとも１つのＤ２Ｄ宛先および前記装置が前記中継ノードとして通信するために使用することを意図するキャリア周波数を示す、と、
前記装置の前記中継ステータスに基づいてダウンリンク制御情報（ＤＣＩ）メッセージを受信するための手段、前記ＤＣＩメッセージは、前記装置の前記中継ステータスに基づいて前記装置に割り振られたリソースを示す、と、
前記装置の前記中継ステータスに基づいて前記装置に割り振られた前記リソース上でデータを送信するための手段と
を備える、装置。
【請求項１０】
前記メッセージは、前記装置がそれらと通信することを意図する複数のＤ２Ｄ宛先を示し、前記装置が前記中継ノードとして機能することを意図する前記少なくとも１つのＤ２Ｄ宛先は、前記複数のＤ２Ｄ宛先のサブセットである、
請求項９に記載の装置。
【請求項１１】
前記メッセージは、Ｄ２Ｄグループ識別子（ＩＤ）またはユーザ機器ＩＤのうちの１つまたは複数を含むことによって前記少なくとも１つのＤ２Ｄ宛先を示す、
請求項９に記載の装置。
【請求項１２】
前記メッセージは、前記装置と、前記装置が前記中継ノードとして機能する前記少なくとも１つのＤ２Ｄ宛先中の１つまたは複数のユーザ機器との間の接続に関連付けられたリンク品質を含む、
請求項９に記載の装置。
【請求項１３】
前記メッセージは、前記少なくとも１つのＤ２Ｄ宛先とのＤ２Ｄ通信を実行するという意図を示す、
請求項９に記載の装置。
【請求項１４】
前記基地局への送信のために前記少なくとも１つのＤ２Ｄ宛先から前記データを受信するための手段をさらに備える、
請求項９に記載の装置。
【請求項１５】
前記少なくとも１つのＤ２Ｄ宛先への送信のために前記基地局から前記データを受信するための手段をさらに備える、
請求項９に記載の装置。
【請求項１６】
ワイヤレス通信のための装置であって、
前記装置の中継ステータスを備えるメッセージを送信するための手段、前記中継ステータスは、前記装置が基地局と少なくとも１つのデバイスツーデバイス（Ｄ２Ｄ）宛先との間の中継ノードとして機能することを意図するかどうかを示し、前記メッセージは、前記装置が前記中継ノードとして機能することを意図する前記少なくとも１つのＤ２Ｄ宛先を示し、前記メッセージは、バッファステータス報告とＤ２Ｄグループインデックスとを含み、前記Ｄ２Ｄグループインデックスは、Ｄ２Ｄグループ識別子に関連付けられ、前記装置によって送信された直接通信インジケーションメッセージ中に含まれる前記Ｄ２Ｄグループ識別子の位置に対応し、前記Ｄ２Ｄグループ識別子は、前記装置が前記中継ノードとして機能することを意図するＤ２Ｄグループに関連付けられる、と、
前記装置の前記中継ステータスに基づいてダウンリンク制御情報（ＤＣＩ）メッセージを受信するための手段、前記ＤＣＩメッセージは、前記装置の前記中継ステータスに基づいて前記装置に割り振られたリソースを示す、と、
前記装置の前記中継ステータスに基づいて前記装置に割り振られた前記リソース上でデータを送信するための手段と
を備える、装置。
【請求項１７】
ワイヤレス通信のための装置であって、
メモリと、
前記メモリに結合された少なくとも１つのプロセッサと
を備え、前記少なくとも１つのプロセッサは、
前記装置の中継ステータスを備えるメッセージを送信すること、前記中継ステータスは、前記装置が基地局と少なくとも１つのデバイスツーデバイス（Ｄ２Ｄ）宛先との間の中継ノードとして機能することを意図するかどうかを示し、前記メッセージは、前記装置が前記中継ノードとして機能することを意図する前記少なくとも１つのＤ２Ｄ宛先および前記装置が前記中継ノードとして通信するために使用することを意図するキャリア周波数を示す、と、
前記装置の前記中継ステータスに基づいてダウンリンク制御情報（ＤＣＩ）メッセージを受信すること、前記ＤＣＩメッセージが、前記装置の前記中継ステータスに基づいて前記装置に割り振られたリソースを示す、と、
前記装置の前記中継ステータスに基づいて前記装置に割り振られた前記リソース上でデータを送信することと
を行うように構成された、装置。
【請求項１８】
前記メッセージは、前記装置がそれらと通信することを意図する複数のＤ２Ｄ宛先を示し、前記装置が前記中継ノードとして機能することを意図する前記少なくとも１つのＤ２Ｄ宛先は、前記複数のＤ２Ｄ宛先のサブセットである、
請求項１７に記載の装置。
【請求項１９】
前記メッセージは、Ｄ２Ｄグループ識別子（ＩＤ）またはユーザ機器ＩＤのうちの１つまたは複数を含むことによって前記少なくとも１つのＤ２Ｄ宛先を示す、
請求項１７に記載の装置。
【請求項２０】
前記メッセージは、前記装置と、前記装置が前記中継ノードとして機能する前記少なくとも１つのＤ２Ｄ宛先中の１つまたは複数のユーザ機器との間の接続に関連付けられたリンク品質を含む、
請求項１７に記載の装置。
【請求項２１】
前記メッセージは、前記少なくとも１つのＤ２Ｄ宛先とのＤ２Ｄ通信を実行するという意図を示す、
請求項１７に記載の装置。
【請求項２２】
前記少なくとも１つのプロセッサは、前記基地局への送信のために前記少なくとも１つのＤ２Ｄ宛先から前記データを受信するようにさらに構成される、
請求項１７に記載の装置。
【請求項２３】
前記少なくとも１つのプロセッサは、前記少なくとも１つのＤ２Ｄ宛先への送信のために前記基地局から前記データを受信するようにさらに構成される、
請求項１７に記載の装置。
【請求項２４】
ワイヤレス通信のための装置であって、
メモリと、
前記メモリに結合された少なくとも１つのプロセッサと
を備え、前記少なくとも１つのプロセッサは、
前記装置の中継ステータスを備えるメッセージを送信すること、前記中継ステータスは、前記装置が基地局と少なくとも１つのデバイスツーデバイス（Ｄ２Ｄ）宛先との間の中継ノードとして機能することを意図するかどうかを示し、前記メッセージは、前記装置が前記中継ノードとして機能することを意図する前記少なくとも１つのＤ２Ｄ宛先を示し、前記メッセージは、バッファステータス報告とＤ２Ｄグループインデックスとを含み、前記Ｄ２Ｄグループインデックスは、Ｄ２Ｄグループ識別子に関連付けられ、前記装置によって送信された直接通信インジケーションメッセージ中に含まれる前記Ｄ２Ｄグループ識別子の位置に対応し、前記Ｄ２Ｄグループ識別子は、前記装置が前記中継ノードとして機能することを意図するＤ２Ｄグループに関連付けられる、と、
前記装置の前記中継ステータスに基づいてダウンリンク制御情報（ＤＣＩ）メッセージを受信すること、前記ＤＣＩメッセージが、前記装置の前記中継ステータスに基づいて前記装置に割り振られたリソースを示す、と、
前記装置の前記中継ステータスに基づいて前記装置に割り振られた前記リソース上でデータを送信することと
を行うように構成された、装置。
【請求項２５】
ユーザ機器（ＵＥ）のためのコンピュータ可読媒体であって、プロセッサによって実行されると、前記プロセッサに、
前記ＵＥの中継ステータスを備えるメッセージを送信すること、前記中継ステータスは、前記ＵＥが基地局と少なくとも１つのデバイスツーデバイス（Ｄ２Ｄ）宛先との間の中継ノードとして機能することを意図するかどうかを示す、と、
前記ＵＥの前記中継ステータスに基づいてダウンリンク制御情報（ＤＣＩ）メッセージを受信すること、前記ＤＣＩメッセージが、前記ＵＥの前記中継ステータスに基づいて前記ＵＥに割り振られたリソースを示し、前記メッセージは、前記ＵＥが前記中継ノードとして機能することを意図する前記少なくとも１つのＤ２Ｄ宛先および前記ＵＥが前記中継ノードとして通信するために使用することを意図するキャリア周波数を示す、と、
前記ＵＥの前記中継ステータスに基づいて前記ＵＥに割り振られた前記リソース上でデータを送信することと
を行わせるコンピュータ実行可能コードを記憶するユーザ機器（ＵＥ）のための体コンピュータ可読媒体。
【請求項２６】
前記プロセッサによって実行されると、前記プロセッサに、
前記少なくとも１つのＤ２Ｄ宛先への送信のために前記基地局から前記データを受信することを行わせるコードをさらに備える、
請求項２５に記載のコンピュータ可読媒体。
【発明の詳細な説明】
【関連出願の相互参照】
【０００１】
[0001]本出願は、その全体が参照により本明細書に明確に組み込まれる、２０１５年２月１０日に出願された「RELAY SIGNALING BETWEEN UE AND NETWORK」と題する米国仮出願第６２／１１４，５０３号、および２０１６年１月２６日に出願された「RELAY SIGNALING BETWEEN UE AND NETWORK」と題する米国出願第１５／００６，７６９号の利益を主張する。
【技術分野】
【０００２】
[0002]本開示は、一般に通信システムに関し、より詳細には、ユーザ機器とネットワークとの間の中継シグナリングに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータ可読媒体、および装置が提供される。本装置はユーザ機器（ＵＥ）であり得る。本装置は、本装置の中継ステータスを含み得るメッセージを送信し得る。中継ステータスは、本装置が基地局と少なくとも１つのデバイスツーデバイス（Ｄ２Ｄ）宛先との間の中継ノードとして機能することを意図するかどうかを示し得る。本装置は、本装置の中継ステータスに基づいてダウンリンク制御情報（ＤＣＩ）メッセージを受信し得る。ＤＣＩメッセージは、本装置の中継ステータスに基づいて本装置に割り振られたリソースを示し得る。本装置は、本装置の中継ステータスに基づいて本装置に割り振られたリソース上でデータを送信し得る。
【図面の簡単な説明】
【０００６】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７Ａ】デバイスツーデバイス通信を実行するデバイスツーデバイス通信システムの図。
【図７Ｂ】デバイスツーデバイス通信を実行するデバイスツーデバイス通信システムの図。
【図８】ＵＥとネットワークとの間の中継シグナリングのための例示的なプロシージャを示すコールフロー図。
【図９】ワイヤレス通信の方法のフローチャート。
【図１０】例示的な装置中の異なるモジュール／手段／コンポーネント間のデータフローを示す概念データフロー図。
【図１１】処理システムを採用する装置のためのハードウェア実装形態の一例を示す図。
【発明を実施するための形態】
【０００７】
[0017]添付の図面に関して以下に記載される発明を実施するための形態は、様々な構成を説明するものであり、本明細書で説明される概念が実施され得る構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造およびコンポーネントがブロック図の形態で示される。
【０００８】
[0018]次に、様々な装置および方法に関して電気通信システムのいくつかの態様が提示される。これらの装置および方法が、以下の発明を実施するための形態において説明され、（「要素」と総称される）様々なブロック、モジュール、コンポーネント、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、またはソフトウェアとして実装されるかは、特定の適用例および全体的なシステムに課される設計制約に依存する。
【０００９】
[0019]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0020]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００１１】
[0021]図１は、ＬＴＥネットワークアーキテクチャ１００を示す図である。ＬＴＥネットワークアーキテクチャ１００は発展型パケットシステム（ＥＰＳ：：Evolved Packet System）１００と呼ばれることがある。ＥＰＳ１００は、１つまたは複数のＵＥ１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示される様々な概念は、回線交換サービスを提供するネットワークに拡張され得る。
【００１２】
[0022]Ｅ−ＵＴＲＡＮは、発展型ノードＢ（ｅＮＢ：evolved Node B）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は、発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティ、またはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0023]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを
担当し得る。
【００１４】
[0024]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリア、および／または特定のカバレージエリアをサービスするｅＮＢサブシステムを指すことがある。さらに、「ｅＮＢ」、「基地局」、および「セル」という用語は、本明細書では互換的に使用され得る。
【００１５】
[0025]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示される様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを与えるためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００１６】
[0026]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００１７】
[0027]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0028]以下の詳細な説明では、アクセスネットワークの様々な態様が、ＤＬ上でＯＦＤＭをサポートするＭＩＭＯシステムに関して説明される。ＯＦＤＭは、ＯＦＤＭシンボル内でいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガード間隔（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００１９】
[0029]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７つの連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６つの連続するＯＦＤＭシンボルを含んでいる。Ｒ３０２、３０４として示されるリソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ：physical DL shared channel）がマッピングされるリソースブロック上で送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0030]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２１】
[0031]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータまたはデータと制御情報の両方を送信し得る。ＵＬ送信は、サブフレームの両方のスロットにわたり得、周波数上でホッピングし得る。
【００２２】
[0032]初期システムアクセスを実行し、物理ランダムアクセスチャネル（ＰＲＡＣＨ）４３０中でＵＬ同期を達成するために、リソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数は、ネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００２３】
[0033]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２４】
[0034]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２５】
[0035]ＰＤＣＰサブレイヤ５１４は、異なる無線ベアラと論理チャネルとの間の多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００２６】
[0036]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２７】
[0037]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作、紛失パケットの再送信、およびＵＥ６５０へのシグナリングを担当する。
【００２８】
[0038]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００２９】
[0039]ＵＥ６５０において、各受信機６５４ＲＸは、それのそれぞれのアンテナ６５２を通して信号を受信する。各受信機６５４ＲＸは、ＲＦキャリア上に変調された情報を復元し、その情報を受信（ＲＸ）プロセッサ６５６に与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号はＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３０】
[0040]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、その後、Ｌ２レイヤの上方のすべてのプロトコルレイヤを表す、データシンク６６２に与えられる。また、様々な制御信号が、Ｌ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３１】
[0041]ＵＬでは、データソース６６７が、コントローラ／プロセッサ６５９に上位レイヤパケットを与えるために使用される。データソース６６７はＬ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３２】
[0042]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３３】
[0043]ＵＬ送信は、ＵＥ６５０における受信機機能に関して説明された様式と同様の様式でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、その情報をＲＸプロセッサ６７０に与える。ＲＸプロセッサ６７０はＬ１レイヤを実装し得る。
【００３４】
[0044]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３５】
[0045]図７Ａおよび図７Ｂは、デバイスツーデバイス通信を実行するデバイスツーデバイス通信システム７００の図である。図７Ａを参照すると、デバイスツーデバイス通信システム７００は基地局７０２と複数のワイヤレスデバイス７０４、７０６、７０８、７１０、７１２とを含む。デバイスツーデバイス通信システム７００は、たとえば、ワイヤレスワイドエリアネットワーク（ＷＷＡＮ）などのセルラー通信システムと重なり得る。ワイヤレスデバイス７０４、７０６、７０８、７１０、７１２の一部は、ＤＬ／ＵＬ  ＷＷＡＮスペクトルを使用してデバイスツーデバイス通信において互いに通信し得、一部は基地局７０２と通信し得、一部は両方を行い得る。たとえば、図７Ａに示されているように、ワイヤレスデバイス７０６、７１０、７１２はデバイスツーデバイス通信中であり、ワイヤレスデバイス７０４、７０６、７０８はデバイスツーデバイス通信中である。ワイヤレスデバイス７１０、７１２は基地局７０２のカバレージの外側にあり得、したがって、ワイヤレスデバイス７１０、７１２は基地局７０２と通信しないことがある。ワイヤレスデバイス７０４、７０６、７０８は、基地局７０２（またはネットワーク）のカバレージ内にあり得、したがって、基地局７０２と通信し得る。
【００３６】
[0046]以下で説明される例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイスツーデバイス通信システムなど、様々なワイヤレスデバイスツーデバイス通信システムのいずれにも適用可能である。説明を簡略化するために、例示的な方法および装置がＬＴＥのコンテキスト内で説明される。ただし、例示的な方法および装置は、様々な他のワイヤレスデバイスツーデバイス通信システムにより一般的に適用可能であることを当業者は理解されよう。
【００３７】
[0047]図７Ｂは、ワイヤレスデバイスがＤ２Ｄ通信のためにリソースを要求し得るコールフロー図７３０を示す。コールフロー図７３０を参照すると、ワイヤレスデバイス７０６がワイヤレスデバイス７０４とのＤ２Ｄ通信を開始することを希望するとき、たとえば、ワイヤレスデバイス７０６は、基地局７０２にＰｒｏＳｅＵＥＩｎｆｏｒｍａｔｉｏｎメッセージ７３２を送信し得る（たとえば、ＰｒｏＳｅは、Ｄ２Ｄ通信に関連付けられた近接サービスを指すことがある）。ＰｒｏＳｅＵＥＩｎｆｏｒｍａｔｉｏｎメッセージ７３２は、ワイヤレスデバイス７０６がＤ２Ｄ通信を開始することを希望することを示し得、リソースについての要求を含み得る。ＰｒｏＳｅＵＥＩｎｆｏｒｍａｔｉｏｎメッセージ７３２は、ワイヤレスデバイス７０６がそれとのＤ２Ｄ通信を実行することを意図する別のワイヤレスデバイスまたはワイヤレスデバイスのグループに関連付けられた１つまたは複数の識別子（ＩＤ）をも含み得る。ＰｒｏＳｅＵＥＩｎｆｏｒｍａｔｉｏｎメッセージ７３２は、ワイヤレスデバイス７０６が（マルチキャリア動作を可能にする目的で）Ｄ２Ｄ通信をその中で実行することを希望するキャリア周波数を含み得る。一態様では、ＰｒｏＳｅＵＥＩｎｆｏｒｍａｔｉｏｎメッセージ７３２はＲＲＣメッセージであり得る。ＰｒｏＳｅＵＥＩｎｆｏｒｍａｔｉｏｎメッセージ７３２を受信したことに応答して、基地局７０２はワイヤレスデバイス７０６にＲＲＣＣｏｎｎｅｃｔｉｏｎＲｅｃｏｎｆｉｇｕｒａｔｉｏｎメッセージ７３４を送信し得る。ＲＲＣＣｏｎｎｅｃｔｉｏｎＲｅｃｏｎｆｉｇｕｒａｔｉｏｎメッセージ７３４は、Ｄ２Ｄ通信のためにワイヤレスデバイス７０６に割り振られ得るワイヤレスリソースのプールまたはグループを示し得る。ＲＲＣＣｏｎｎｅｃｔｉｏｎＲｅｃｏｎｆｉｇｕｒａｔｉｏｎメッセージ７３４は、モード１／モード２情報（たとえば、ワイヤレスリソースプールの時間周波数情報）を含み得る。ＲＲＣＣｏｎｎｅｃｔｉｏｎＲｅｃｏｎｆｉｇｕｒａｔｉｏｎメッセージ７３４はまた、Ｄ２Ｄ無線ネットワーク一時識別子（たとえば、サイドリンク無線ネットワーク一時識別子（ＳＬ−ＲＮＴＩ：sidelink radio network temporary identifier））を含み得る。ＲＲＣＣｏｎｎｅｃｔｉｏｎＲｅｃｏｎｆｉｇｕｒａｔｉｏｎメッセージ７３４を正常に受信すると、ワイヤレスデバイス７０６は、正常な受信を示すために、基地局７０２にＲＲＣＣｏｎｎｅｃｔｉｏｎＲｅｃｏｎｆｉｇｕｒａｔｉｏｎＣｏｍｐｌｅｔｅメッセージ７３６を送信し得る。その後、ワイヤレスデバイス７０６がワイヤレスデバイス７０４に送信すべきデータを有するとき、ワイヤレスデバイス７０６は、基地局７０２にＰｒｏＳｅ  ＢｕｆｆｅｒＳｔａｔｕｓＲｅｐｏｒｔ（ＢＳＲ）メッセージ７３８を送信することによってリソースを要求し得る。ＰｒｏＳｅ  ＢＳＲメッセージ７３８を受信した後、基地局７０２は、ワイヤレスデバイス７０６にＤＣＩメッセージ７４０を送信し得る。ＤＣＩメッセージ７４０は、ＰｒｏＳｅ  ＢＳＲメッセージ７３８に基づいてワイヤレスデバイス７０６に割り振られたワイヤレスリソースを示し得る。ワイヤレスデバイス７０６は、ＲＲＣＣｏｎｎｅｃｔｉｏｎＲｅｃｏ��ｆｉｇｕｒａｔｉｏｎメッセージ７３４中で受信されたＳＬ−ＲＮＴＩに基づいて、どのＤＣＩメッセージがワイヤレスデバイス７０６を対象とするかを識別／決定し得る。
【００３８】
[0048]いくつかの事例では、ワイヤレスデバイス（たとえば、ワイヤレスデバイス７０６）は、基地局と少なくとも１つのＤ２Ｄ宛先（たとえば、ネットワークアクセスを有しない別のワイヤレスデバイスまたはワイヤレスデバイスのグループ）との間の中継器の働きをするかまたはそれとして機能し得る。Ｄ２Ｄ通信は、ネットワークカバレージの外側（たとえば、基地局のカバレージの外側）にあるエリア中で使用され得る。ネットワークカバレージの外側でＤ２Ｄ通信を実行するワイヤレスデバイスは、ネットワークにアクセスする必要があるかまたはアクセスするように要求され得る。したがって、ネットワークの外側でＤ２Ｄ通信に関与するワイヤレスデバイスが、データを受信し、基地局にデータを送信することを可能にする必要がある。これは、ワイヤレスデバイスのうちの１つが、カバレージ中にあり（たとえば、ネットワークへのアクセスを有し）、基地局と、カバレージ外にあるワイヤレスデバイスのグループとの間の中継ノードとして働き得る場合に達成され得る。たとえば、図７Ａを参照すると、ワイヤレスデバイス７０６、７１０、７１２は第１のＤ２Ｄグループであり得、ワイヤレスデバイス７０４、７０６、７０８は第２のＤ２Ｄグループであり得る。ワイヤレスデバイス７０６は、第１のＤ２Ｄグループと第２のＤ２Ｄグループの両方とのＤ２Ｄ通信を実行する。第１のＤ２Ｄグループは、カバレージ外にあり得、基地局７０２と通信することが可能でないことがある。第２のＤ２Ｄグループは、カバレージ中にあり、基地局７０２と通信することが可能であり得る。ワイヤレスデバイス７１０、７１２が基地局７０２と通信することを可能にするために、ワイヤレスデバイス７０６は、第１のＤ２Ｄグループと基地局７０２との間の中継ノードの働きをし得る。ワイヤレスデバイス７０６が中継ノードとして働くことを可能にするために、ワイヤレスデバイス７０６と基地局７０２（またはネットワーク）との間のシグナリングが以下で説明される。
【００３９】
[0049]図８は、ＵＥとネットワークとの間の中継シグナリングのための例示的なプロシージャを示すコールフロー図８００である。図８では、ＵＥ８０４は基地局８０２（たとえば、ｅＮＢ）のカバレージ内にあり得る。ＵＥ８０４は第１のＤ２Ｄグループ８０６および第２のＤ２Ｄグループ８０８とＤ２Ｄ通信していることがあり、第１のＤ２Ｄグループ８０６は基地局８０２のカバレージ外にあり得る。第１のＤ２Ｄグループ８０６は、基地局８０２に送信するためのデータを有し得る。第１のＤ２Ｄグループ８０６は基地局８０２のカバレージ外にあるが、ＵＥ８０４は、第１のＤ２Ｄグループ８０６と基地局８０２との間でデータを通信するための中継ノードとして働き得る。
【００４０】
[0050]中継ノードとして働くために、ＵＥ８０４は基地局８０２に第１のメッセージ８１０を送信し得る。一態様では、第１のメッセージ８１０は、ＲＲＣメッセージ（たとえば、ＰｒｏＳｅＵＥＩｎｆｏｒｍａｔｉｏｎメッセージ７３２）または別のタイプの直接通信インジケーションメッセージ（たとえば、伝送制御プロトコル（ＴＣＰ）／ＩＰ上で送信されたメッセージ）であり得る。第１のメッセージ８１０は、Ｄ２Ｄ通信を実行し、Ｄ２Ｄリソースを要求するという意図を示し得る。第１のメッセージ８１０はＵＥ８０４の中継ステータスを示し得る。中継ステータスは、ＵＥ８０４が基地局８０２と少なくとも１つのＤ２Ｄグループとの間の中継ノードとして機能することを意図するかどうかを示し得る。Ｄ２Ｄグループは複数のＵＥまたはただ１つのＵＥを含み得る。Ｄ２Ｄグループがただ１つのＵＥを有する場合、ＵＥ８０４は基地局８０２と、Ｄ２Ｄグループ中の１つのＵＥとの間の中継ノードとして働き得る。そうではなく、Ｄ２Ｄグループが複数のＵＥを有する場合、ＵＥ８０４は基地局８０２とＤ２Ｄグループとの間の中継ノードとして働き得る。
【００４１】
[0051]第１のメッセージ８１０は、Ｄ２ＤグループＩＤの各々に関連付けられたＤ２ＤグループとのＤ２Ｄ通信に関与するというＵＥ８０４の意図を示す、Ｄ２ＤグループＩＤのリスト（たとえば、５つのＤ２ＤグループＩＤまたはＤ２Ｄ宛先ＩＤのリスト）を含み得る。Ｄ２ＤグループＩＤのリストからの、Ｄ２ＤグループＩＤのサブセットは、ＵＥ８０４が基地局８０２とＵＥ８０４との間でそれらとの中継ノードの働きをすることを意図するＤ２Ｄグループに対応し得る。たとえば、第１のＤ２Ｄグループ８０６および第２のＤ２Ｄグループ８０８は、Ｄ２Ｄグループのリスト中にあり得る。ＵＥ８０４が第１のＤ２Ｄグループ８０６のための中継ノードの働きをすることを意図する場合、ＵＥ８０４は、ＵＥ８０４が、第１のＤ２Ｄグループ８０６のための中継ノードとして機能することを意図するが、第２のＤ２Ｄグループ８０８のための中継ノードとして機能することを意図しないことを示し得る。第１のＤ２Ｄグループ８０６がただ１つのＵＥを有する場合、ＵＥ８０４はＤ２ＤグループＩＤの代わりにＵＥ  ＩＤを示し得る。言い換えれば、第１のメッセージ８１０は、ＵＥ８０４がそれらとの中継ノードの働きをすることを意図するＤ２Ｄグループのサブセットを示し得る。他の事例では、ＵＥ８０４は、ＵＥ８０４が、第１のメッセージ８１０中で与えられるＤ２ＤグループＩＤのすべてのための中継ノードの働きをすることを意図することを示し得る。
【００４２】
[0052]別の態様では、第１のメッセージ８１０は、各Ｄ２ＤグループＩＤに関連付けられた１つまたは複数のビットを含み得る。Ｄ２ＤグループＩＤのリスト中の各Ｄ２Ｄグループに関連付けられた第１のビットは、ＵＥ８０４がＤ２ＤグループとのＤ２Ｄ通信を実行することを希望するかどうかを示すために使用され得る。第１のビットが１である場合、ＵＥ８０４はＤ２Ｄ通信を実行することを希望し得るが、第１のビットが０である場合、ＵＥ８０４はＤ２Ｄ通信を実行することを希望しないことがある。Ｄ２ＤグループＩＤのリスト中の各Ｄ２Ｄグループに関連付けられた第２のビットは、ＵＥ８０４が、Ｄ２ＤグループＩＤに関連付けられたＤ２Ｄグループのための中継ノードとして機能することを意図するかどうかを示すために使用され得る。第２のビットが１である場合、ＵＥ８０４は特定のＤ２Ｄグループのための中継ノードの働きをすることを希望し得るが、第２のビットが０である場合、ＵＥ８０４は特定のＤ２Ｄグループのための中継ノードの働きをすることを希望しないことがある。別の態様では、各Ｄ２ＤグループＩＤについて別個のビットインジケータ／タグを使用する代わりに、共通インジケータまたはフィールドが、すべてのＤ２ＤグループＩＤが、中継通信のためのものであるか、または中継通信のためものでないことを示すために使用され得る。
【００４３】
[0053]第１のメッセージ８１０は、ＵＥ８０４の中継ステータス（たとえば、ＵＥ８０４は中継ノードとして機能することを意図する）に基づいてＤ２Ｄ通信リソースを要求し得る。第１のメッセージ８１０は、ＵＥ８０４が、それらと通信することを意図するが、それらとの中継ノードの働きをすることを意図しない他のＤ２Ｄグループに基づいて、Ｄ２Ｄ通信リソースを要求し得る。一態様では、第１のメッセージ８１０は、ＵＥ８０４がＤ２Ｄ通信をその中で実行することを意図するキャリア周波数を含み得る。第１のメッセージ８１０中にキャリア周波数を含めることは、異なるＵＥの間のマルチキャリア動作を可能にする（たとえば、異なるＵＥが異なる周波数上で同時に通信し得る）。示されたキャリア周波数はＤ２Ｄ通信のみのためのものであり得るか、または示されたキャリア周波数は中継ノードとしての通信のためのものであり得る。
【００４４】
[0054]第１のメッセージ８１０は、ＵＥ８０４と、ＵＥ８０４がそれらのための中継器として機能することを意図するＵＥの各々との間の接続に関連付けられたリンク品質を含み得る。リンク品質は、リソース割り振りの目的で基地局８０２によって使用され得る。
【００４５】
[0055]ＵＥ８０４の中継ステータスを示す第１のメッセージ８１０をＵＥ８０４から受信すると、基地局８０２は、ＵＥ８０４の中継ステータス、ＵＥ８０４がそれらとのＤ２Ｄ通信を実行することを意図するＤ２Ｄグループの数、ＵＥ８０４がそれらとの中継器としての働きをすることを意図するＤ２Ｄグループの数、および／またはＵＥ８０４と、ＵＥ８０４がそれらとのリレーの働きをすることを意図するＤ２Ｄグループに関連付けられたＵＥとの間のリンク品質に基づいて、ＵＥ８０４にリソースを割り振ることを決定し得る。一態様では、基地局８０２は、もしあれば、どのリソースをＤ２Ｄ通信のために割り振るべきかを決定する際に、ＵＥ８０４の近傍内のネイバリングワイヤレスデバイスの数を考慮し得る。
【００４６】
[0056]Ｄ２Ｄ通信のためにおよび／または中継ノード機能のために割り振られるリソースを決定した後、基地局８０２は、割り振られたリソースを、ＵＥ８０４に送信される構成メッセージ８１２中で示し得る。一態様では、割り振られたリソースは、Ｄ２Ｄ通信のためにおよび／または中継ノード機能のためにＵＥ８０４に専用であり得る。別の態様では、構成メッセージ８１２は、専用メッセージ（たとえば、ＵＥ８０４に専用のＲＲＣＣｏｎｎｅｃｔｉｏｎＲｅｃｏｎｆｉｇｕｒａｔｉｏｎメッセージ７３４）であり得る。構成メッセージ８１２はまた、Ｄ２Ｄ通信のためにＵＥ８０４に割り振られ得るワイヤレスリソースのプール（たとえば、時間周波数情報）を示し得る。構成メッセージ８１２はまた、無線ネットワーク一時識別子（たとえば、ＳＬ−ＲＮＴＩ）を含み得る。
【００４７】
[0057]構成メッセージ８１２を正常に受信すると、ＵＥ８０４は、基地局８０２に、ＵＥ８０４が構成メッセージ８１２を正常に受信したことを示す構成完了メッセージ８１４を送信し得る。一態様では、構成完了メッセージ８１４は、ＲＲＣＣｏｎｎｅｃｔｉｏｎＲｅｃｏｎｆｉｇｕｒａｔｉｏｎＣｏｍｐｌｅｔｅメッセージ７３６であり得る。
【００４８】
[0058]図８を参照すると、第１のＤ２Ｄグループ８０６がネットワークと通信する必要があるとき、第１のＤ２Ｄグループ８０６はＵＥ８０４に中継要求メッセージ８１６を送信し得る。中継要求メッセージ８１６は、第１のＤ２Ｄグループ８０６がネットワークに送信すべきデータを有し、および／または第１のＤ２Ｄグループ８０６がネットワークから受信すべきデータを有することを示し得る。中継要求メッセージ８１６を受信すると、ＵＥ８０４は、第１のＤ２Ｄグループ８０６のための中継ノードの働きをすべきかどうかを決定し得る。決定は、ＵＥ８０４が他のＤ２Ｄグループのための中継ノードの働きをするかどうかなど、トラフィック負荷に基づき得る。トラフィック負荷が高い場合、ＵＥ８０４は中継ノードとして働かないことを決定し得る。決定は、ＵＥ８０４と基地局８０２との間の接続のリンク品質にも基づき得る。リンク品質が悪い場合、ＵＥ８０４は中継ノードとして働かないと決定し得る。図８は、中継要求メッセージ８１６が第１のメッセージ８１０の後に送信されることを示すが、中継要求メッセージ８１６は第１のメッセージ８１０の前に送信され得る。その場合では、第１のメッセージ８１０中で示されるＵＥ８０４の中継ステータスは、中継要求メッセージ８１６に基づき得る。
【００４９】
[0059]その後、ＵＥ８０４は基地局８０２に第２のメッセージ８１８を送信し得る。第２のメッセージ８１８は、たとえば、バッファステータス報告（たとえば、ＰｒｏＳｅ  ＢＳＲメッセージ７３８または別のＭＡＣ制御要素）であり得る。第２のメッセージ８１８は、ＵＥ８０４の中継ステータス（たとえば、ＵＥ８０４が１つまたは複数のＤ２Ｄグループ／ＵＥのための中継ノードとして働くことを意図するかどうか）を示し得る。第２のメッセージ８１８は、中継要求メッセージ８１６（たとえば、第１のＤ２Ｄグループ８０６がネットワークに送信すべきデータを有し、ＵＥ８０４が中継ノードの働きをすることを決定する）に基づいて、および／またはＵＥ８０４が第２のＤ２Ｄグループ８０８といつ通信することを希望するかに基づいて送信され得る。第２のメッセージ８１８は、１つまたは複数のＤ２Ｄグループインデックスを含み得、１つまたは複数のＤ２Ｄグループインデックスは、ＵＥ８０４がＤ２Ｄ通信のために、またはリレーとしてＤ２Ｄ通信のためにのいずれかでそれらと通信することを意図する、１つまたは複数のＤ２ＤグループＩＤ／Ｄ２Ｄグループに関連付けられ得る。Ｄ２Ｄグループインデックスは、第１のメッセージ８１０（たとえば、ＰｒｏＳｅＵＥＩｎｆｏｒｍａｔｉｏｎメッセージ７３２または別の直接通信インジケーションメッセージ）中で送信されたＤ２ＤグループＩＤに関連付けられ得る。Ｄ２Ｄグループインデックスの値は、第１のメッセージ８１０中でＵＥ８０４によって送られたＤ２Ｄグループ識別子の位置に対応し得る。たとえば、第１のメッセージ８１０が、（第１のＤ２Ｄグループ８０６に関連付けられた）第１のＤ２ＤグループＩＤ１０と、後続の（第２のＤ２Ｄグループ８０８に関連付けられた）第２のＤ２ＤグループＩＤ５０とを含む場合、対応するＤ２Ｄグループインデックスは、それぞれ、１および２であり得る。Ｄ２Ｄグループインデックス１は、Ｄ２ＤグループＩＤ１０が、第１のメッセージ８１０に記載されている第１のＤ２ＤグループＩＤであったので、Ｄ２ＤグループＩＤ１０を指すことがある。同様に、Ｄ２Ｄグループインデックス２は、Ｄ２ＤグループＩＤ５０が、第１のメッセージ８１０に記載されている第２のＤ２ＤグループＩＤであったので、Ｄ２ＤグループＩＤ５０を指すことがある。言い換えれば、Ｄ２Ｄグループインデックスは、ＵＥ８０４がリレーノードとして機能することを意図するＤ２ＤグループのＤ２ＤグループＩＤに関連付けられ得る。一態様では、すべてのＤ２Ｄグループインデックスが中継通信のためのものであるかどうかを示すためのフィールドが、第２のメッセージ８１８中に含まれ得る。代替的に、共通インジケータを使用する代わりに、ＵＥ８０４が、Ｄ２Ｄグループインデックスに関連付けられたＤ２Ｄグループのための中継ノードの働きをすることを意図するかどうかを示すためのタグ／インジケータ（たとえば、ビットインジケータ）が、各Ｄ２Ｄグループインデックスに関連付けられ得る。２つのＤ２ＤグループＩＤおよびインデックスがここで説明されたが、任意の数のグループＩＤおよびＤ２Ｄグループインデックスが使用され得る。一態様では、第２のメッセージ８１８中で、ＵＥ８０４���、第１のメッセージ８１０中で示されたＤ２Ｄグループのサブセットを表すＤ２Ｄグループインデックスのセットを含み得る。
【００５０】
[0060]第２のメッセージ８１８を受信すると、基地局８０２は、ＵＥ８０４の中継ステータスに基づいてＤ２Ｄ通信および／または中継ノード通信リソースをＵＥ８０４に割り振るべきかどうかを決定し得る。割り振られたＤ２Ｄおよび／または中継ノード通信リソースは、ＤＣＩメッセージ８２０（たとえば、ＤＣＩ−５メッセージ）中で示され得る。ＤＣＩメッセージ８２０は、どのリソースがＤ２Ｄ通信のために割り振られ、どのリソースが中継ノード通信のために割り振られるかを示し得る。基地局８０２は、ＵＥ８０４にＤＣＩメッセージ８２０を送信し得る。ＤＣＩメッセージ８２０は、ＵＥ８０４に関連付けられた無線ネットワーク一時識別子（たとえば、ＳＬ−ＲＮＴＩ）を用いて符号化（またはスクランブル）された巡回冗長検査（ＣＲＣ）アタッチメントを含み得る。
【００５１】
[0061]一態様では、基地局８０２は、他のＵＥにＤＣＩメッセージを送信していることがある。ＵＥ８０４は、ＤＣＩメッセージ８２０中に含まれるＣＲＣアタッチメントを符号化またはスクランブルするために使用されるＲＮＴＩ（たとえば、ＳＬ−ＲＮＴＩ）に基づいて、ＤＣＩメッセージ８２０がＵＥ８０４を対象とすると決定し得る。ＤＣＩメッセージ８２０を受信すると、ＵＥ８０４は、構成メッセージ８１２中に含まれるＲＮＴＩを使用してＤＣＩメッセージ８２０のＣＲＣアタッチメントをデスクランブル／復号し、ＣＲＣを実行することによって、ＤＣＩメッセージ８２０がＵＥ８０４を対象とするかどうかを決定し得る。エラー検査は、ＤＣＩメッセージ８２０とともに送信されたＣＲＣが、ＤＣＩメッセージ８２０に基づいてＵＥ８０４によって生成されたＣＲＣに一致するかどうかを決定することによって実行され得る。両方のＣＲＣが一致する場合、エラーは見つけられず、ＵＥ８０４は、ＤＣＩメッセージ８２０がＵＥ８０４を対象とすると決定し得る。ＵＥ８０４の中継ステータスに基づいてＤＣＩメッセージ８２０を正常に受信すると、ＵＥ８０４は、ＵＥ８０４に割り振られたＤ２Ｄおよび／または中継通信リソースを決定するためにＤＣＩメッセージ８２０を復号し得る。ＵＥ８０４は、ＵＥ８０４が、第１のＤ２Ｄグループ８０６と基地局８０２との間の中継ノードとして働くことによって第１のＤ２Ｄグループ８０６にネットワークアクセスを与え得ることを示す中継ステータス確認メッセージ８２２を第１のＤ２Ｄグループ８０６に送信し得る。その後、ＵＥ８０４は、基地局８０２と第１のＤ２Ｄグループ８０６との間でデータ８２４を通信し得る。すなわち、ＵＥ８０４は、第１のＤ２Ｄグループ８０６からデータ８２４を受信し、基地局８０２にデータ８２４を中継し得る。同様に、ＵＥ８０４は、基地局８０２からデータ８２４を受信し、第１のＤ２Ｄグループ８０６にデータ８２４を中継し得る。一態様では、ＵＥ８０４は、割り振られたＤ２Ｄリソースに基づいて第２のＤ２Ｄグループ８０８と通信し得る。
【００５２】
[0062]別の構成では、ＵＥ８０４が、基地局８０２によってサービスされない新しいエリアに移動した場合、基地局８０２は、新しいエリアをサービスするターゲット基地局に関するハンドオーバプロシージャを実行し得る。基地局８０２は、第１のメッセージ８１０および／または第２のメッセージ８１８中でＵＥ８０４から受信された情報を送信し得る。情報は、ＵＥ８０４の中継ステータス、ならびに／あるいはＵＥ８０４が（Ｄ２Ｄ通信のためにおよび／または中継ノード通信のために）それらと通信することを意図する１つまたは複数のＤ２Ｄグループに関連付けられたＤ２ＤグループＩＤ（またはＤ２Ｄグループインデックス）のうちの最小１つを含み得る。
【００５３】
[0063]図９は、ワイヤレス通信の方法のフローチャート９００である。方法は、ＵＥ（たとえば、ＵＥ８０４、以下の、装置１００２／１００２’）によって実行され得る。９０２において、ＵＥは、ＵＥの中継ステータスを含むメッセージを送信する。中継ステータスは、ＵＥが基地局と少なくとも１つのＤ２Ｄ宛先との間の中継ノードとして機能することを意図するかどうかを示し得る。一例では、図８を参照すると、ＵＥはＵＥ８０４に対応し得、メッセージは第１のメッセージ８１０に対応し得る。ＵＥ８０４は基地局８０２に第１のメッセージ８１０を送信し得る。第１のメッセージ８１０はＵＥ８０４の中継ステータスを含み得、中継ステータスは、ＵＥ８０４が中継ノードの働きをすることを意図することを示し得る。第１のメッセージ８１０は、ＵＥ８０４が第１のＤ２Ｄグループ８０６および第２のＤ２Ｄグループ８０８と通信することを希望することを示すために、第１のＤ２Ｄグループ８０６および第２のＤ２Ｄグループ８０８のためのＤ２ＤグループＩＤ（またはＤ２Ｄ宛先ＩＤ）を含み得る。第１のメッセージ８１０は、ＵＥ８０４が第１のＤ２Ｄグループ８０６のための中継ノードとして機能することを意図することを示し得る。第１のメッセージ８１０は、ＵＥ８０４と、第１のＤ２Ｄグループ８０６中のＵＥの各々との間のリンク品質を含み得る。別の例では、図８を参照すること、メッセージは第２のメッセージ８１８に対応し得る。ＵＥ８０４は基地局８０２に第２のメッセージ８１８を送信し得る。第２のメッセージ８１８は、ＵＥ８０４が中継ノードとして機能することを意図することを示す、ＵＥ８０４の中継ステータスを含み得る。第２のメッセージ８１８は、第１のメッセージ８１０中に含まれる第１のＤ２ＤグループＩＤ（たとえば、第１のＤ２Ｄグループ８０６のためのＤ２ＤグループＩＤ）に対応するＤ２Ｄグループインデックス１を含み得る。ビットがＤ２Ｄグループインデックス１に関連し得、そのビットは、Ｄ２Ｄグループインデックス１が、ＵＥ８０４が中継ノードとして機能することを意図するＤ２Ｄグループに関連付けられることを示すために１に設定され得る。したがって、第２のメッセージ８１８は、ＵＥ８０４が第１のＤ２Ｄグループ８０６のためのリレーの働きをすることを希望することを示す。第２のメッセージ８１８はまた、第１のＤ２Ｄグループ８０６が、ネットワークに送信すべきデータを有することを示し得る。
【００５４】
[0064]９０４において、ＵＥは、ＵＥの中継ステータスに基づいてＤＣＩメッセージを受信する。ＤＣＩメッセージは、ＵＥの中継ステータスに基づいてＵＥに割り振られたリソースを示し得る。たとえば、図８を参照すると、ＵＥ８０４は、ＵＥ８０４の中継ステータスに基づいて、（第２のメッセージ８１８を送信した後に）ＤＣＩメッセージ８２０を受信し得る。ＤＣＩメッセージ８２０は、ＵＥ８０４が第１のＤ２Ｄグループ８０６のための中継ノードの働きをし得ることを示すために、第１のＤ２Ｄグループ８０６に関連付けられた、Ｄ２ＤグループＩＤ、またはＤ２Ｄグループインデックスを含み得る。ＤＣＩメッセージ８２０は、ＵＥ８０４の中継ステータスに基づいて中継ノードとして働くためにＵＥ８０４に割り振られたリソースを示し得る。ＵＥ８０４が第２のＤ２Ｄグループ８０８とのＤ２Ｄ通信をも実行している場合、ＤＣＩメッセージ８２０は、ＵＥ８０４と第２のＤ２Ｄグループ８０８との間のＤ２Ｄ通信のために割り振られたリソースを含み得る。
【００５５】
[0065]９０６において、ＵＥは、基地局への送信のために少なくとも１つのＤ２Ｄ宛先からデータを受信する。たとえば、図８を参照すると、ＵＥ８０４は、基地局８０２への送信のために第１のＤ２Ｄグループ８０６からデータ８２４を受信し得る。
【００５６】
[0066]９０８において、ＵＥは、少なくとも１つのＤ２Ｄ宛先への送信のために基地局からデータを受信する。たとえば、図８を参照すると、ＵＥ８０４は、第１のＤ２Ｄグループ８０６への送信のために基地局８０２からデータ８２４を受信し得る。
【００５７】
[0067]９１０において、ＵＥは、ＵＥの中継ステータスに基づいてＵＥに割り振られたリソース上でデータを送信し得る。たとえば、図８を参照すると、ＵＥ８０４は、ＵＥ８０４の中継ステータス基づいて、および受信されたＤＣＩメッセージ８２０に基づいてＵＥ８０４に割り振られたリソース上で、基地局８０２から受信されたデータ８２４を第１のＤ２Ｄグループ８０６に送信し得る。別の例では、ＵＥ８０４は、ＵＥ８０４の中継ステータスに基づいて、および受信されたＤＣＩメッセージ８２０に基づいてＵＥ８０４に割り振られたリソース上で、第１のＤ２Ｄグループ８０６から受信されたデータ８２４を基地局８０２に送信し得る。
【００５８】
[0068]図１０は、例示的な装置１００２中の異なるモジュール／手段／コンポーネント間のデータフローを示す概念データフロー図１０００である。装置はＵＥであり得る。装置は、受信コンポーネント１００４と、ステータスコンポーネント１００６と、送信コンポーネント１００８とを含む。送信コンポーネント１００８は、装置の中継ステータスを含むメッセージを送信するように構成され得る。装置の中継ステータスは、ステータスコンポーネント１００６によって送信コンポーネント１００８に与えられ得る。中継ステータスは、装置が基地局１０５０と少なくとも１つのＤ２Ｄグループ１０１０との間の中継ノードとして機能することを意図するかどうかを示し得る。受信コンポーネント１００４は、装置の中継ステータスに基づいてＤＣＩメッセージを受信するように構成され得る。ＤＣＩメッセージは、装置の中継ステータスに基づいて装置に割り振られたリソースを示し得る。送信コンポーネント１００８は、装置の中継ステータスに基づいて装置に割り振られたリソース上でデータを送信するように構成され得る。一態様では、メッセージは、装置が中継ノードとして機能することを意図する少なくとも１つのＤ２Ｄグループ１０１０を示し得る。別の態様では、メッセージは、装置がそれらと通信することを意図する複数のＤ２Ｄグループを示し得る。装置が中継ノードとして機能することを意図する少なくとも１つのＤ２Ｄグループ１０１０は、複数のＤ２Ｄグループのサブセットであり得る。別の態様では、メッセージは、Ｄ２ＤグループＩＤまたはＵＥ  ＩＤのうちの１つまたは複数を含むことによって少なくとも１つのＤ２Ｄグループ１０１０を示し得る。別の態様では、メッセージは、装置と、装置が中継ノードとして機能する少なくとも１つのＤ２Ｄグループ１０１０中の１つまたは複数のＵＥとの間の接続に関連付けられたリンク品質を含み得る。別の態様では、メッセージは、少なくとも１つのＤ２Ｄグループ１０１０とのＤ２Ｄ通信を実行するという意図を示し得る。別の態様では、メッセージはバッファステータス報告とＤ２Ｄグループインデックスとを含み得る。Ｄ２Ｄグループインデックスは、Ｄ２Ｄグループ識別子に関連付けられ、装置によって送信された直接通信インジケーションメッセージ中に含まれるＤ２Ｄグループ識別子の位置に対応し得る。Ｄ２Ｄグループ識別子は、装置が中継ノードとして機能することを意図するＤ２Ｄグループに関連付けられ得る。一構成では、受信コンポーネント１００４は、基地局１０５０への送信のために少なくとも１つのＤ２Ｄグループ１０１０からデータを受信するように構成され得る。別の構成では、受信コンポーネント１００４は、少なくとも１つのＤ２Ｄグループ１０１０への送信のために基地局１０５０からデータを受信するように構成され得る。
【００５９】
[0069]本装置は、図９の上述のフローチャート中のアルゴリズムのブロックの各々を実行する追加のコンポーネントを含み得る。したがって、図９の上述のフローチャート中の各ブロックは１つのコンポーネントによって実行され得、本装置は、それらのコンポーネントのうちの１つまたは複数を含み得る。コンポーネントは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６０】
[0070]図１１は、処理システム１１１４を採用する装置１００２’のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４によって表される１つまたは複数のプロセッサおよび／またはハードウェアコンポーネントと、コンポーネント１００４、１００６、１００８と、コンピュータ可読媒体／メモリ１１０６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明されない。
【００６１】
[0071]処理システム１１１４はトランシーバ１１１０に結合され得る。トランシーバ１１１０は１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信された信号から情報を抽出し、抽出された情報を処理システム１１１４、特に受信コンポーネント１００４に与える。さらに、トランシーバ１１１０は、処理システム１１１４、特に送信コンポーネント１００８から情報を受信し、受信された情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む一般的な処理を担当する。ソフトウェアは、プロセッサ１１０４によって実行されたとき、処理システム１１１４に、特定の装置のための上記で説明された様々な機能を実行させる。コンピュータ可読媒体／メモリ１１０６はまた、ソフトウェアを実行するときにプロセッサ１１０４によって操作されるデータを記憶するために使用され得る。処理システムは、コンポーネント１１０４、１１０６、１１０８のうちの少なくとも１つをさらに含む。それらのコンポーネントは、プロセッサ１１０４中で動作し、コンピュータ可読媒体／メモリ１１０６中に存在する／記憶されたソフトウェアコンポーネントであるか、プロセッサ１１０４に結合された１つまたは複数のハードウェアコンポーネントであるか、またはそれらの何らかの組合せであり得る。処理システム１１１４は、ＵＥ６５０のコンポーネントであり得、メモリ６６０および／またはＴＸプロセッサ６６８と、ＲＸプロセッサ６５６と、コントローラ／プロセッサ６５９とのうちの少なくとも１つを含み得る。
【００６２】
[0072]一構成では、ワイヤレス通信のための装置１００２／１００２’は、装置の中継ステータスを含むメッセージを送信するための手段を含む。中継ステータスは、装置が基地局と少なくとも１つのＤ２Ｄグループとの間の中継ノードとして機能することを意図するかどうかを示し得る。装置は、装置の中継ステータスに基づいてＤＣＩメッセージを受信するための手段を含む。ＤＣＩメッセージは、装置の中継ステータスに基づいて装置に割り振られたリソースを示し得る。装置は、装置の中継ステータスに基づいて装置に割り振られたリソース上でデータを送信するための手段を含む。一態様では、メッセージは、装置が中継ノードとして機能することを意図する少なくとも１つのＤ２Ｄグループを示し得る。別の態様では、メッセージは、装置がそれらと通信することを意図する複数のＤ２Ｄグループを示し得る。装置が中継ノードとして機能することを意図する少なくとも１つのＤ２Ｄグループは、複数のＤ２Ｄグループのサブセットであり得る。別の態様では、メッセージは、Ｄ２ＤグループＩＤまたはＵＥ  ＩＤのうちの１つまたは複数を含むことによって少なくとも１つのＤ２Ｄグループを示し得る。別の態様では、メッセージは、装置と、装置が中継ノードとして機能する少なくとも１つのＤ２Ｄグループ中の１つまたは複数のＵＥとの間の接続に関連付けられたリンク品質を含み得る。別の態様では、メッセージは、少なくとも１つのＤ２ＤグループとのＤ２Ｄ通信を実行するという意図を示し得る。別の態様では、メッセージはバッファステータス報告とＤ２Ｄグループインデックスとを含み得る。Ｄ２Ｄグループインデックスは、Ｄ２Ｄグループ識別子に関連付けられ、装置によって送信された直接通信インジケーションメッセージ中に含まれるＤ２Ｄグループ識別子の位置に対応し得る。Ｄ２Ｄグループ識別子は、装置が中継ノードとして機能することを意図するＤ２Ｄグループに関連付けられ得る。一構成では、装置は、基地局への送信のために少なくとも１つのＤ２Ｄグループからデータを受信するための手段を含み得る。別の構成では、装置は、少なくとも１つのＤ２Ｄグループへの送信のために基地局からデータを受信するための手段を含み得る。上述の手段は、上述の手段によって具陳された機能を実行するように構成された、装置１００２、および／または装置１００２’の処理システム１１１４の上述のコンポーネントのうちの１つまたは複数であり得る。上記で説明されたように、処理システム１１１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００６３】
[0073]開示されるプロセス／フローチャート中のブロックの特定の順序または階層は、例示的な手法の一例であることを理解されたい。設計選好に基づいて、プロセス／フローチャート中のブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【００６４】
[0074]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。さらに、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に、本願出願の当初の特許請求の範囲に記載された発明を付記する。
［Ｃ１］
ユーザ機器（ＵＥ）によるワイヤレス通信の方法であって、
前記ＵＥの中継ステータスを備えるメッセージを送信すること、前記中継ステータスは、前記ＵＥが基地局と少なくとも１つのデバイスツーデバイス（Ｄ２Ｄ）宛先との間の中継ノードとして機能することを意図するかどうかを示す、と、
前記ＵＥの前記中継ステータスに基づいてダウンリンク制御情報（ＤＣＩ）メッセージを受信すること、前記ＤＣＩメッセージは、前記ＵＥの前記中継ステータスに基づいて前記ＵＥに割り振られたリソースを示す、と、
前記ＵＥの前記中継ステータスに基づいて前記ＵＥに割り振られた前記リソース上でデータを送信することと
を備える、方法。
［Ｃ２］
前記メッセージは、前記ＵＥが前記中継ノードとして機能することを意図する前記少なくとも１つのＤ２Ｄ宛先を示す、
［Ｃ１］に記載の方法。
［Ｃ３］
前記メッセージは、前記ＵＥがそれらと通信することを意図する複数のＤ２Ｄ宛先を示し、前記ＵＥが前記中継ノードとして機能することを意図する前記少なくとも１つのＤ２Ｄ宛先は、前記複数のＤ２Ｄ宛先のサブセットである、
［Ｃ２］に記載の方法。
［Ｃ４］
前記メッセージは、Ｄ２Ｄグループ識別子（ＩＤ）またはＵＥ  ＩＤのうちの１つまたは複数を含むことによって前記少なくとも１つのＤ２Ｄ宛先を示す、
［Ｃ２］に記載の方法。
［Ｃ５］
前記メッセージは、前記ＵＥと、前記ＵＥが前記中継ノードとして機能する前記少なくとも１つのＤ２Ｄ宛先中の１つまたは複数のＵＥとの間の接続に関連付けられたリンク品質を含む、
［Ｃ１］に記載の方法。
［Ｃ６］
前記メッセージは、前記少なくとも１つのＤ２Ｄ宛先とのＤ２Ｄ通信を実行するという意図を示す、
［Ｃ１］に記載の方法。
［Ｃ７］
前記メッセージは、バッファステータス報告とＤ２Ｄグループインデックスとを含み、前記Ｄ２Ｄグループインデックスは、Ｄ２Ｄグループ識別子に関連付けられ、前記ＵＥによって送信された直接通信インジケーションメッセージ中に含まれる前記Ｄ２Ｄグループ識別子の位置に対応し、前記Ｄ２Ｄグループ識別子は、前記ＵＥが前記中継ノードとして機能することを意図するＤ２Ｄグループに関連付けられる、
［Ｃ１］に記載の方法。
［Ｃ８］
前記基地局への送信のために前記少なくとも１つのＤ２Ｄ宛先から前記データを受信することをさらに備える、
［Ｃ１］に記載の方法。
［Ｃ９］
前記少なくとも１つのＤ２Ｄ宛先への送信のために前記基地局から前記データを受信することをさらに備える、
［Ｃ１］に記載の方法。
［Ｃ１０］
ワイヤレス通信のための装置であって、
前記装置の中継ステータスを備えるメッセージを送信するための手段、前記中継ステータスは、前記装置が基地局と少なくとも１つのデバイスツーデバイス（Ｄ２Ｄ）宛先との間の中継ノードとして機能することを意図するかどうかを示す、と、
前記装置の前記中継ステータスに基づいてダウンリンク制御情報（ＤＣＩ）メッセージを受信するための手段、前記ＤＣＩメッセージは、前記装置の前記中継ステータスに基づいて前記装置に割り振られたリソースを示す、と、
前記装置の前記中継ステータスに基づいて前記装置に割り振られた前記リソース上でデータを送信するための手段と
を備える、装置。
［Ｃ１１］
前記メッセージは、前記装置が前記中継ノードとして機能することを意図する前記少なくとも１つのＤ２Ｄ宛先を示す、
［Ｃ１０］に記載の装置。
［Ｃ１２］
前記メッセージは、前記装置がそれらと通信することを意図する複数のＤ２Ｄ宛先を示し、前記装置が前記中継ノードとして機能することを意図する前記少なくとも１つのＤ２Ｄ宛先は、前記複数のＤ２Ｄ宛先のサブセットである、
［Ｃ１１］に記載の装置。
［Ｃ１３］
前記メッセージは、Ｄ２Ｄグループ識別子（ＩＤ）またはユーザ機器ＩＤのうちの１つまたは複数を含むことによって前記少なくとも１つのＤ２Ｄ宛先を示す、
［Ｃ１１］に記載の装置。
［Ｃ１４］
前記メッセージは、前記装置と、前記装置が前記中継ノードとして機能する前記少なくとも１つのＤ２Ｄ宛先中の１つまたは複数のユーザ機器との間の接続に関連付けられたリンク品質を含む、
［Ｃ１０］に記載の装置。
［Ｃ１５］
前記メッセージは、前記少なくとも１つのＤ２Ｄ宛先とのＤ２Ｄ通信を実行するという意図を示す、
［Ｃ１０］に記載の装置。
［Ｃ１６］
前記メッセージは、バッファステータス報告とＤ２Ｄグループインデックスとを含み、前記Ｄ２Ｄグループインデックスは、Ｄ２Ｄグループ識別子に関連付けられ、前記装置によって送信された直接通信インジケーションメッセージ中に含まれる前記Ｄ２Ｄグループ識別子の位置に対応し、前記Ｄ２Ｄグループ識別子は、前記装置が前記中継ノードとして機能することを意図するＤ２Ｄグループに関連付けられる、
［Ｃ１０］に記載の装置。
［Ｃ１７］
前記基地局への送信のために前記少なくとも１つのＤ２Ｄ宛先から前記データを受信するための手段をさらに備える、
［Ｃ１０］に記載の装置。
［Ｃ１８］
前記少なくとも１つのＤ２Ｄ宛先への送信のために前記基地局から前記データを受信するための手段をさらに備える、
［Ｃ１０］に記載の装置。
［Ｃ１９］
ワイヤレス通信のための装置であって、
メモリと、
前記メモリに結合された少なくとも１つのプロセッサと
を備え、前記少なくとも１つのプロセッサは、
前記装置の中継ステータスを備えるメッセージを送信すること、前記中継ステータスは、前記装置が基地局と少なくとも１つのデバイスツーデバイス（Ｄ２Ｄ）宛先との間の中継ノードとして機能することを意図するかどうかを示す、と、
前記装置の前記中継ステータスに基づいてダウンリンク制御情報（ＤＣＩ）メッセージを受信すること、前記ＤＣＩメッセージが、前記装置の前記中継ステータスに基づいて前記装置に割り振られたリソースを示す、と、
前記装置の前記中継ステータスに基づいて前記装置に割り振られた前記リソース上でデータを送信することと
を行うように構成された、装置。
［Ｃ２０］
前記メッセージは、前記装置が前記中継ノードとして機能することを意図する前記少なくとも１つのＤ２Ｄ宛先を示す、
［Ｃ１９］に記載の装置。
［Ｃ２１］
前記メッセージは、前記装置がそれらと通信することを意図する複数のＤ２Ｄ宛先を示し、前記装置が前記中継ノードとして機能することを意図する前記少なくとも１つのＤ２Ｄ宛先は、前記複数のＤ２Ｄ宛先のサブセットである、
［Ｃ２０］に記載の装置。
［Ｃ２２］
前記メッセージは、Ｄ２Ｄグループ識別子（ＩＤ）またはユーザ機器ＩＤのうちの１つまたは複数を含むことによって前記少なくとも１つのＤ２Ｄ宛先を示す、
［Ｃ２０］に記載の装置。
［Ｃ２３］
前記メッセージは、前記装置と、前記装置が前記中継ノードとして機能する前記少なくとも１つのＤ２Ｄ宛先中の１つまたは複数のユーザ機器との間の接続に関連付けられたリンク品質を含む、
［Ｃ１９］に記載の装置。
［Ｃ２４］
前記メッセージは、前記少なくとも１つのＤ２Ｄ宛先とのＤ２Ｄ通信を実行するという意図を示す、
［Ｃ１９］に記載の装置。
［Ｃ２５］
前記メッセージは、バッファステータス報告とＤ２Ｄグループインデックスとを含み、前記Ｄ２Ｄグループインデックスは、Ｄ２Ｄグループ識別子に関連付けられ、前記装置によって送信された直接通信インジケーションメッセージ中に含まれる前記Ｄ２Ｄグループ識別子の位置に対応し、前記Ｄ２Ｄグループ識別子は、前記装置が前記中継ノードとして機能することを意図するＤ２Ｄグループに関連付けられる、
［Ｃ１９］に記載の装置。
［Ｃ２６］
前記少なくとも１つのプロセッサは、前記基地局への送信のために前記少なくとも１つのＤ２Ｄ宛先から前記データを受信するようにさらに構成される、
［Ｃ１９］に記載の装置。
［Ｃ２７］
前記少なくとも１つのプロセッサは、前記少なくとも１つのＤ２Ｄ宛先への送信のために前記基地局から前記データを受信するようにさらに構成される、
［Ｃ１９］に記載の装置。
［Ｃ２８］
コンピュータ実行可能コードを記憶するユーザ機器（ＵＥ）のためのコンピュータ可読媒体であって、
前記ＵＥの中継ステータスを備えるメッセージを送信すること、前記中継ステータスは、前記ＵＥが基地局と少なくとも１つのデバイスツーデバイス（Ｄ２Ｄ）宛先との間の中継ノードとして機能することを意図するかどうかを示す、と、
前記ＵＥの前記中継ステータスに基づいてダウンリンク制御情報（ＤＣＩ）メッセージを受信すること、前記ＤＣＩメッセージが、前記ＵＥの前記中継ステータスに基づいて前記ＵＥに割り振られたリソースを示す、と、
前記ＵＥの前記中継ステータスに基づいて前記ＵＥに割り振られた前記リソース上でデータを送信することと
を行うためのコードを備える、コンピュータ可読媒体。
［Ｃ２９］
前記基地局への送信のために前記少なくとも１つのＤ２Ｄ宛先から前記データを受信するためのコードをさらに備える、
［Ｃ２８］に記載のコンピュータ可読媒体。
［Ｃ３０］
前記少なくとも１つのＤ２Ｄ宛先への送信のために前記基地局から前記データを受信するためのコードをさらに備える、
［Ｃ２８］に記載のコンピュータ可読媒体。
【図１】
0006724022.tif 000002
【図２】
0006724022.tif 000003
【図３】
0006724022.tif 000004
【図４】
0006724022.tif 000005
【図５】
0006724022.tif 000006
【図６】
0006724022.tif 000007
【図７Ａ】
0006724022.tif 000008
【図７Ｂ】
0006724022.tif 000009
【図８】
0006724022.tif 000010
【図９】
0006724022.tif 000011
【図１０】
0006724022.tif 000012
【図１１】
0006724022.tif 000013